(57)【要約】【課題】紙詰まりが生じても、直ちに検知装置を動作させずに、若干の紙詰まりを許容し、紙詰まりが所定量を超過したときに検知装置を動作させ、プリンタのカバー付き排出口構造が簡素で、しかも、用紙の先端から後端までの長さが短い、プリンタにおける紙詰まりを防止するカバー付き排出口構造を提供する。【解決手段】排出口２ａから排出されているレシート用紙１７の先端が障害物（顧客の手指や商品）１８に突き当たって、紙詰まりが生じると、初期では図示されるように、レシート用紙が溜部１０において湾曲してカバー１１に当接する。更に、レシート用紙の紙詰まりが進むと、レシート用紙の腰によりカバーを押し上げて軸１２を中心として左回転させる。【選択図】図２
2010105764.tif 000002
【特許請求の範囲】
【請求項１】
プリンタの本体に用紙の排出口が設けられ、
前記排出口の下側に下側ガイド板が、上側に上側ガイド板が、それぞれ設置され、前記下側ガイド板と前記上側ガイド板の間に前記排出口から排出された前記用紙の溜部が形成され、
前記上側ガイド板には、カバーが軸を中心として回転可能に懸垂され、
前記排出口から排出された前記用紙は、障害物に突き当たらないと、前記下側ガイド板と前記カバーの間から排出され、前記障害物に突き当たると、前記溜部において湾曲して前記カバーに当接することを特徴とするプリンタにおける紙詰まりを防止するカバー付き排出口構造。
【請求項２】
前記カバーは、懸垂されている位置を限度に前記排出口方向へ回転可能であり、ばねにより前記軸を中心として前記排出口方向へ回転モーメントを与えられていることを特徴とする請求項１記載のプリンタにおける紙詰まりを防止するカバー付き排出口構造。
【請求項３】
前記カバーが所定の角度以上前記排出口方向の反対方向へ回転すると、前記カバーに設けられた突起又は前記カバーの回転に同期して動作する部材をセンサが検知し、前記プリンタの動作を停止するか又は報知することを特徴とする請求項１記載のプリンタにおける紙詰まりを防止するカバー付き排出口構造。
【請求項４】
プリンタの本体に用紙の排出口が設けられ、
前記排出口の下側に下側ガイド板が、上側に上側ガイド板が、それぞれ設置され、前記下側ガイド板と前記上側ガイド板の間に前記排出口から排出された前記用紙の溜部が形成され、
前記下側ガイド板には、カバーが軸を中心として回転可能に支持され、
前記排出口から排出された前記用紙は、障害物に突き当たらないと、前記上側ガイド板と前記カバーの間から排出され、前記障害物に突き当たると、前記溜部において湾曲して前記カバーに当接することを特徴とするプリンタにおける紙詰まりを防止するカバー付き排出口構造。
【請求項５】
前記カバーは、前記用紙からかかる負荷が所定値以下ならば支持されている位置を維持する弾性を有することを特徴とする請求項４記載のプリンタにおける紙詰まりを防止するカバー付き排出口構造。
【請求項６】
前記カバーは、支持されている位置を限度に前記排出口方向へ回転可能であり、ばねにより前記軸を中心として前記排出口方向へ回転モーメントを与えられていることを特徴とする請求項４記載のプリンタにおける紙詰まりを防止するカバー付き排出口構造。
【請求項７】
前記カバーが所定の角度以上前記排出口方向の反対方向へ回転すると、前記カバーに設けられた突起又は前記カバーの回転に同期して動作する部材をセンサが検知し、前記プリンタの動作を停止するか又は報知することを特徴とする請求項４記載のプリンタにおける紙詰まりを防止するカバー付き排出口構造。
【請求項８】
前記カバーは透明であることを特徴とする請求項１又は４記載のプリンタにおける紙詰まりを防止するカバー付き排出口構造。
【発明の詳細な説明】
【技術分野】
【０００１】
本発明は、プリンタのカバー付き排出口において、紙詰まり（ジャム）を防止する構造に関し、紙詰まりが発生する電子キャッシュレジスタ等に採用される。
【０００２】
スーパーストア等のセルフＰＯＳ８１の概略を図９を参照して説明する。レシートプリンタ８２の前面には、レシート排出口８３が設けられ、レシート排出口８３の前部がバーコードスキャンエリア８４である。
【０００３】
セルフ運用であるため、トレーニングを受けていない顧客が手指でレシートを触る。レシート排出口８３の前部にバーコードスキャンエリア８４が配置されているため、商品や顧客の手指がレシート排出の障害物となり、紙詰まりを誘発し易い。
【０００４】
紙詰まりに起因するプリンタの動作停止には、トレーニングを受けた店員レベルしか対処することができない。したがって、セルフＰＯＳ８１搭載のレシートプリンタ８２は、通常運用上で紙詰まりが発生しないように図る必要がある。
【背景技術】
【０００５】
従来の第１の技術として、プリンタにおける羽根車式レシート搬送及び保持機構の要点について、図１０を引用して説明する（本出願人が平成２０年６月６日に特願２００８−１４９７７９として出願した。）。
【０００６】
羽根車２４は、図示しないステッピングモータによって駆動される。プリンタ２１の内部でレシート印字のためにレシート用紙の搬送が開始されると、羽根車２４も回転を開始する。その後、プリンタ２１の内部で印字が終了し、レシート用紙が切断されると、切断後の所定時間経過後に羽根車２４は回転を停止し、切断後のレシートを保持する。
【０００７】
図１０は、プリンタ２１における連続用紙から切断されて羽根車２４によって搬送されるレシート４１の搬送時の断面図である。
【０００８】
プリンタ２１のハウジング２２に設置されている軸受（図示せず）に回転軸２３が回転可能に支持され、回転軸２３にはその軸方向に２個の羽根車２４が固定されている。各羽根車２４は、シリコーンゴムから製造され、周囲に３枚の弾性変形可能な羽根２４ａを有する。
【０００９】
各羽根２４ａは、羽根車２４の周囲から、ハウジング２２の内面に形成されている搬送通路に漸次接近するように突出するサイクロイド状等の曲面部と、これに連続する平面部とから構成される。
【００１０】
レシート４１は、搬送通路と中間レシートガイド２５及びレシートガイド２６との間を搬送される。
【００１１】
各羽根車２４が左回転すると、まず、各羽根２４ａの曲面部がレシート４１の感熱面４１ａに緩やかに弾性変形しながら接触し、次に、平面部がレシート４１の感熱面４１ａを左方向に押して、レシート４１の非感熱面４１ｂをハウジング２２の搬送通路に押圧する。すると、各平面部が摩擦力によってレシート４１を下方向に連行するので、レシート４１はハウジング２２の排出口２２ｂから排出される。排出口２２ｂの付近は、筐体側のカバー３１によって被覆されている。
【００１２】
従来の第２の技術として、プリンタの用紙排出装置の要点について、本出願前に頒布された刊行物を引用して説明する（例えば、特許文献１参照。）。
【００１３】
図１１は、プリンタの用紙排出装置のプリンタ本体部５１とプレゼンタ機構部７１の縦断面図である。プレゼンタ機構部７１は、カッタ機構６０を通過又は切断された用紙５２の排出処理を行うための手段であって、用紙排出機構（図示せず）を備えている。
【００１４】
用紙搬送路５３には、用紙搬送機構５４と印字機構５７が設けられ、用紙搬送機構５４は一対の駆動ローラ５５，５６から構成され、印字機構５７は印字ヘッド５８とプラテン５９とから構成される。印字機構５７に隣接してカッタ機構６０が設置され、カッタ機構６０はカッタ刃６１を有する。
【００１５】
カッタ機構６０の用紙排出口６２から排出された用紙５２は、プレゼンタ機構部７１の用紙排出路７２に搬送される。用紙５２をスムーズに搬送するために、一対の用紙ガイド６３，６４が設けられている。
【００１６】
用紙ガイド６３は、プレゼンタ機構部７１の内部に延長されて、フレーム７３によって支持されている。プレゼンタ機構部７１の内部には、その空間部によって用紙溜部７４が形成されている。用紙溜部７４には、用紙５２を湾曲させるための手段として、断面がＵ字形状のガイド板７５が設けられている。ガイド板７５の一部は用紙ガイド６３と平行であり、ガイド板７５と用紙ガイド６３の両終端部は用紙排出口７６を構成する。用紙５２は、一対の駆動ローラ７７，７８によって搬送される。
【００１７】
プレゼンタ機構部７１の内部において、一対の駆動ローラ７７，７８と用紙排出口７６の間に、用紙センサ７９が設置されている。
【００１８】
用紙センサ７９が、用紙５２を検出したとき、用紙排出機構の動作を停止させ、カッタ機構６０は用紙５２を切断する。
【００１９】
用紙５２が用紙溜部７４において紙詰まりを生じると、まず、図１１の破線のように湾曲し、続いて、図１２の実線のように湾曲が拡大する。
【００２０】
【特許文献１】特開平６−３１６１２２号公報
【発明の開示】
【発明が解決しようとする課題】
【００２１】
前記従来の第１の技術として説明したプリンタにおける羽根車式レシート搬送及び保持機構においては、筐体側カバー３１によるレシート４１の溜めの機能については明瞭にされておらず、また、レシート４１の最短券面長（先端から後端までの長さ）は相当に長く（プリンタのタイプやサイズによっては、一例として１００ｍｍ程度）、更に、羽根車２４等の複雑な機構を必要とする。
【００２２】
また、前記従来の第２の技術として説明したプリンタの用紙排出装置においては、プレゼンタ機構部７１の内部には、天井がない空間部によって用紙溜部７４が形成され、用紙溜部７４には、用紙５２を湾曲させるための手段として、断面がＵ字形状のガイド板７５が設けられているに過ぎない。
【００２３】
そこで、本発明は、前記従来の両技術の欠点を改良し、次の目的を達成するプリンタにおける紙詰まりを防止するカバー付き排出口構造を提供しようとするものである。
【００２４】
（１）プリンタに紙詰まりが生じても、直ちに検知装置を動作させずに、若干の紙詰まりを許容し、紙詰まりが所定量を超過したときに検知装置を動作させるので、検知装置が頻繁に又は不要に動作しないこと。
【００２５】
（２）プリンタのカバー付き排出口構造が簡素であること。
【００２６】
（３）用紙の先端から後端までの長さが相当に短いこと。（プリンタのタイプやサイズによっては、一例として５０ｍｍ程度）
【課題を解決するための手段】
【００２７】
本発明は、前記課題を解決するため、次の手段を採用する。なお、実施例の部材部位に付されている符号を本発明の構成の次に記入する。
【００２８】
１．プリンタ１の本体２に用紙１７の排出口２ａが設けられ、前記排出口２ａの下側に下側ガイド板８が、上側に上側ガイド板９が、それぞれ設置され、前記下側ガイド板８と前記上側ガイド板９の間に前記排出口２ａから排出された前記用紙１７の溜部１０が形成され、前記上側ガイド板９には、カバー１１が軸１２を中心として回転可能に懸垂され、前記排出口２ａから排出された前記用紙１７は、障害物１８に突き当たらないと、前記下側ガイド板８と前記カバー１１の間から排出され、前記障害物１８に突き当たると、前記溜部１０において湾曲して前記カバー１１に当接するプリンタにおける紙詰まりを防止するカバー付き排出口構造。
【００２９】
２．前記カバー１１は、懸垂されている位置を限度に前記排出口２ａ方向へ回転可能であり、ばねにより前記軸１２を中心として前記排出口２ａ方向へ回転モーメントを与えられている前記１記載のプリンタにおける紙詰まりを防止するカバー付き排出口構造。
【００３０】
３．前記カバー１１が所定の角度以上前記排出口２ａ方向の反対方向へ回転すると、前記カバー１１に設けられた突起１１ａ又は前記カバー１１の回転に同期して動作する部材をセンサ１３が検知し、前記プリンタ１の動作を停止するか又は報知する前記１記載のプリンタにおける紙詰まりを防止するカバー付き排出口構造。
【００３１】
４．プリンタ１の本体２に用紙の排出口２ａが設けられ、前記排出口２ａの下側に下側ガイド板８´が、上側に上側ガイド板９´が、それぞれ設置され、前記下側ガイド板８´と前記上側ガイド板９´の間に前記排出口２ａから排出された前記用紙１７の溜部１０が形成され、前記下側ガイド板８´には、カバー１１´が軸１２´を中心として回転可能に支持され、前記排出口２ａから排出された前記用紙１７は、障害物１８に突き当たらないと、前記上側ガイド板９´と前記カバー１１´の間から排出され、前記障害物１８に突き当たると、前記溜部１０において湾曲して前記カバー１１´に当接するプリンタにおける紙詰まりを防止するカバー付き排出口構造。
【００３２】
５．前記カバー１１´は、前記用紙１７からかかる負荷が所定値以下ならば支持されている位置を維持する弾性を有する前記４記載のプリンタにおける紙詰まりを防止するカバー付き排出口構造。
【００３３】
６．前記カバー１１´は、支持されている位置を限度に前記排出口２ａ方向へ回転可能であり、ばねにより前記軸１２´を中心として前記排出口２ａ方向へ回転モーメントを与えられている前記４記載のプリンタにおける紙詰まりを防止するカバー付き排出口構造。
【００３４】
７．前記カバー１１´が所定の角度以上前記排出口２ａ方向の反対方向へ回転すると、前記カバー１１´に設けられた突起又は前記カバー１１´の回転に同期して動作する部材をセンサ１３が検知し、前記プリンタ１の動作を停止するか又は報知する前記４記載のプリンタにおける紙詰まりを防止するカバー付き排出口構造。
【００３５】
８．前記カバー１１，１１´は透明である前記１又は４記載のプリンタにおける紙詰まりを防止するカバー付き排出口構造。
【発明の効果】
【００３６】
明細書の説明から明らかなように、本発明は、次の効果を奏する。
【００３７】
１．プリンタに紙詰まりが生じても、直ちに検知装置を動作させずに、若干の紙詰まりを許容し、紙詰まりが所定量を超過したときに検知装置を動作させるので、検知装置が頻繁に又は不要に動作しない。
【００３８】
２．プリンタのカバー付き排出口構造が、簡素である。
【００３９】
３．用紙の先端から後端までの長さが、従来の技術と対比して相当に短い。（プリンタのタイプやサイズによっては、一例として５０ｍｍ程度）
【００４０】
４．カバーが所定の角度以上排出口方向の反対方向へ回転すると、カバーに設けられた突起又はカバーの回転に同期して動作する部材をセンサが検知し、プリンタの動作を停止するか又は報知するので、安全で便利である。
【００４１】
５．カバーが透明であるため、溜部における用紙の紙詰まり状況を視認することができる。
【発明を実施するための最良の形態】
【００４２】
本発明のプリンタにおける紙詰まりを防止するカバー付き排出口構造の２つの実施例について説明する。
【実施例１】
【００４３】
本発明の実施例１のプリンタにおける紙詰まりを防止するカバー付き排出口構造について図１〜図３を参照して説明する。
【００４４】
図１は、レシートプリンタの本体の排出口からレシート用紙が正常に排出されている状態の断面図である。図２は、レシートプリンタの本体の排出口から排出されているレシート用紙の紙詰まりが生じた初期の状態の断面図である。図３は、レシートプリンタの本体の排出口から排出されているレシート用紙の紙詰まりが更に進んだ状態の断面図である。
【００４５】
図１において、レシートプリンタ１の本体２には、ロール紙１６が数個の軸受３により回転可能に支持されている。ロール紙１６から繰り出されたレシート用紙１７は、紙送りローラ４により搬送され、カッタ・ユニット５のカッタ６により所要の長さで切断され、排出口２ａから排出される。本体２における排出口２ａの内側付近には、フラッパ７が設置され、フラッパ７はレシート用紙１７の紙詰まりを検知する。
【００４６】
本体２における排出口２ａの下側には、断面略へ字形状の下側ガイド板８が設置され、また、本体２における排出口２ａの上側には、断面略Ｌ字形状の上側ガイド板９が設置されている。下側ガイド板８と上側ガイド板９の間に、レシート用紙１７の溜部１０が形成される。上側ガイド板９の突出部９ａには、カバー１１が軸１２により回転可能に取り付けられている。
【００４７】
カバー１１を透明な材料で製作すれば、外側から排出口２ａの付近を視認することができる。カバー１１は、その自重により図１の位置に懸垂されるか、又はねじりばね等（図示せず）により軸１２を中心として図１の位置を限度に右回りの回転モーメントを与えられている。
【００４８】
レシート用紙１７は、正常な状態では、排出口２ａから図１の矢印方向へ排出される。
【００４９】
排出口２ａから排出されているレシート用紙１７の先端が障害物（顧客の手指や商品）１８に突き当たって、紙詰まりが生じると、初期では図２に示されるように、レシート用紙１７が溜部１０において湾曲してカバー１１に当接する。更に、レシート用紙１７の紙詰まりが進むと、図３に示されるように、レシート用紙１７の腰によりカバー１１を押し上げて軸１２を中心として矢印方向に左回転させる。
【００５０】
実施例１の一設計変更例を図４と図５を参照して説明する。
【００５１】
カバー１１が所定の角度以上左回転すると、カバー１１に設けられた突起１１ａ（又はカバー１１の回転に同期して動作する部材）を上側ガイド板９に設けられたセンサ（マイクロスィッチ、光学センサ、磁気センサ等）１３が検知する。そして、レシートプリンタ１の動作を停止するか、又はブザー又はランプ等により店員や顧客に報知する。
【実施例２】
【００５２】
本発明の実施例２のプリンタにおける紙詰まりを防止するカバー付き排出口構造について図６〜図８を参照して説明する。
【００５３】
実施例２については、実施例１と同様な点の説明を省略し、相違する点の説明を行う。
【００５４】
図６は、レシートプリンタの本体の排出口からレシート用紙が正常に排出されている状態の断面図である。図７は、レシートプリンタの本体の排出口から排出されているレシート用紙の紙詰まりが生じた初期の状態の断面図である。図８は、レシートプリンタの本体の排出口から排出されているレシート用紙の紙詰まりが更に進んだ状態の断面図である。
【００５５】
本体２における排出口２ａの下側には、断面略Ｌ字形状の下側ガイド板８´が設置され、また、本体２における排出口２ａの上側には、断面略へ字形状の上側ガイド板９´が設置されている。下側ガイド板８´と上側ガイド板９´の間に、レシート用紙１７の溜部１０が形成される。下側ガイド板８´の突出部８´ａには、カバー１１´が軸１２´により回転可能に取り付けられている。
【００５６】
カバー１１´を透明な材料で製作すれば、外側から排出口２ａの付近を視認することができる。カバー１１´は、レシート用紙１７からかかる負荷が所定値以下ならば図６の位置を維持する弾性を有するか、又はねじりばね等（図示せず）により軸１２´を中心として図６の位置を限度に左回りの回転モーメントを与えられている。
【００５７】
レシート用紙１７は、正常な状態では、排出口２ａから図６の矢印方向へ排出される。
【００５８】
排出口２ａから排出されているレシート用紙１７の先端が障害物（顧客の手指や商品）１８に突き当たって、紙詰まりが生じると、初期では図７に示されるように、レシート用紙１７が溜部１０において湾曲してカバー１１´に当接する。更に、レシート用紙１７の紙詰まりが進むと、図８に示されるように、レシート用紙１７の腰によりカバー１１´を押し下げて軸１２´を中心として矢印方向に右回転させる。
【００５９】
実施例２においても、カバー１１´が所定の角度以上右回転すると、実施例１と同様に設計変更を施して、センサの検知により、レシートプリンタ１の動作を停止するか、又はブザー又はランプ等で店員や顧客に報知することができる。
【図面の簡単な説明】
【００６０】
【図１】本発明の実施例１のレシートプリンタの本体の排出口からレシート用紙が正常に排出されている状態の断面図である。
【図２】同排出口から排出されている同レシート用紙の紙詰まりが生じた初期の状態の断面図である。
【図３】同排出口から排出されている同レシート用紙の紙詰まりが更に進んだ状態の断面図である。
【図４】実施例１の一設計変更例のカバー閉状態の断面図である。
【図５】同設計変更例のカバー開状態の断面図である。
【図６】本発明の実施例２のレシートプリンタの本体の排出口からレシート用紙が正常に排出されている状態の断面図である。
【図７】同排出口から排出されている同レシート用紙の紙詰まりが生じた初期の状態の断面図である。
【図８】同排出口から排出されている同レシート用紙の紙詰まりが更に進んだ状態の断面図である。
【図９】セルフＰＯＳの概略側面図である。
【図１０】従来の第１の技術であるプリンタにおける羽根車式レシート搬送及び保持機構（本出願人が先に出願した。）の要点の断面図である。
【図１１】従来の第２の技術であるプリンタの用紙排出装置の要点の断面図であり、レシート用紙の紙詰まりが生じた初期の状態を示す。
【図１２】同プリンタの用紙排出装置の要点の断面図であり、同レシート用紙の紙詰まりが更に進んだ状態を示す。
【符号の説明】
【００６１】
１  レシートプリンタ
２  本体
２ａ  排出口
３  軸
４  紙送りローラ
５  カッタ・ユニット
６  カッタ
７  フラッパ
８  下側ガイド板
８´  下側ガイド板
８´ａ  突出部
９  上側ガイド板
９´上側ガイド板
９ａ  突出部
１０  溜部
１１  カバー
１１´  カバー
１１ａ  突起
１２  軸
１２´  軸
１３  センサ
１６  ロール紙
１７  レシート用紙
１８  障害物
【図１】
2010105764.tif 000003
【図２】
2010105764.tif 000004
【図３】
2010105764.tif 000005
【図４】
2010105764.tif 000006
【図５】
2010105764.tif 000007
【図６】
2010105764.tif 000008
【図７】
2010105764.tif 000009
【図８】
2010105764.tif 000010
【図９】
2010105764.tif 000011
【図１０】
2010105764.tif 000012
【図１１】
2010105764.tif 000013
【図１２】
2010105764.tif 000014